(57)【要約】【課題】商品画像の色情報を効率的に精度良く計測する色情報取得装置、色情報取得システム、色情報取得サーバ装置、及び色情報取得方法を提供することである。【解決手段】色情報取得装置１は、商品５を撮影して得た商品画像１８を取得する画像取得部２４と、取得した商品画像１８に基づいて少なくとも商品５の配色の色数を含む色情報の計測を行う色情報計測部２６と、表示部１２と、商品画像１８及び計測した色情報を表示部１２に表示させる表示制御部２８と、色情報の修正の指示を受け付ける修正指示受付部１４と、修正指示受付部１４により受け付けられた修正の指示を反映させて、商品画像１８に基づいて色情報計測部２６による色情報の計測を再度行わせる再計測制御部３０と、を備える。【選択図】図３
2015203896.tif 000002
【特許請求の範囲】
【請求項１】
商品を撮影して得た商品画像を取得する画像取得部と、
前記取得した商品画像に基づいて少なくとも前記商品の配色の色数を含む色情報の計測を行う色情報計測部と、
表示部と、
前記商品画像及び前記計測した色情報を前記表示部に表示させる表示制御部と、
前記色情報の修正の指示を受け付ける修正指示受付部と、
前記修正指示受付部により受け付けられた前記修正の指示を反映させて、前記商品画像に基づいて前記色情報計測部による前記色情報の計測を再度行わせる再計測制御部と、
を備える色情報取得装置。
【請求項２】
前記色情報計測部は、前記商品の配色を構成する色を計測し、
前記表示制御部が前記表示部に表示させる前記色情報は、前記計測した配色を構成する色のみからなる前記商品画像を再現した再現画像、及び前記配色の色数を示す文字情報である請求項１に記載の色情報取得装置。
【請求項３】
前記色情報の前記修正の指示は、前記再現画像において修正箇所の指示である請求項２に記載の色情報取得装置。
【請求項４】
前記表示制御部が前記表示部に表示させる前記色情報は、前記計測した配色を構成する色を示す文字情報又は前記計測した配色を構成する色を示すカラーパレットである請求項２又は３に記載の色情報取得装置。
【請求項５】
前記色情報計測部は、前記商品の配色を構成する色を計測し、
前記表示制御部が前記表示部に表示させる前記色情報は、前記計測した配色を構成する色を示す文字情報又は前記計測した配色を構成する色を示すカラーパレットである請求項１に記載の色情報取得装置。
【請求項６】
前記色情報の前記修正の指示は、前記色数の増減の指示である請求項１から５のいずれか１項に記載の色情報取得装置。
【請求項７】
前記表示制御部は、さらに、前記修正指示受付部により受け付けられた前記修正の指示内容を表示する修正指示内容表示を前記表示部に表示させる請求項１から６のいずれか１項に記載の色情報取得装置。
【請求項８】
前記修正指示受付部は、さらに、前記色情報の正誤を受け付ける請求項１から７のいずれか１項に記載の色情報取得装置。
【請求項９】
前記色情報計測部は、複数の商品画像に対して前記色情報の計測を順次行う場合には、前記表示制御部が前記表示部に前記商品画像及び前記色情報を表示している間に、未だ前記色情報の計測が行われていない前記商品画像に対して前記色情報の計測を行う請求項１から８のいずれか１項に記載の色情報取得装置。
【請求項１０】
クライアント端末において商品を撮影して得た商品画像が取得され、前記クライアント端末にネットワークを介して接続されるサーバ装置において前記商品画像の色情報が計測され、前記クライアント端末において前記色情報を表示する色情報取得システムであって、
前記クライアント端末は、
表示部と、
前記商品画像を取得する画像取得部と、
前記商品画像及び前記商品画像の前記色情報を前記表示部に表示させる表示制御部と、
前記色情報の修正の指示を受け付ける修正指示受付部と、
前記修正の指示に関するデータ及び前記商品画像の画像データを前記ネットワークを介して前記サーバ装置へ送信するクライアント端末送信部と、
前記サーバ装置のサーバ装置送信部から送信される前記商品画像の前記色情報に関するデータを受信するクライアント端末受信部と、
を備え、
前記サーバ装置は、
前記クライアント端末送信部から送信された前記修正の指示に関するデータ及び前記商品画像の前記画像データを受信するサーバ装置受信部と、
前記商品画像の前記画像データに基づいて少なくとも商品の配色の色数を含む前記色情報を計測する色情報計測部と、
前記修正の指示に関するデータを反映させて、再度前記画像データに基づいて前記色情報計測部による前記色情報の計測を再度行わせる再計測制御部と、
前記色情報計測部により計測された前記色情報に関するデータを前記ネットワークを介して前記クライアント端末へ送信するサーバ装置送信部と、
を備える色情報取得システム。
【請求項１１】
商品を撮影して得た商品画像を取得するクライアント端末にネットワークを介して接続され、前記クライアント端末から前記商品画像の画像データ及び前記商品画像の色情報に対する修正の指示に関するデータを受信し、前記商品画像の色情報を計測する色情報取得サーバ装置であって、
前記クライアント端末から送信された前記修正の指示に関するデータ及び前記商品画像の前記画像データを受信するサーバ装置受信部と、
前記商品画像の前記画像データに基づいて少なくとも前記商品の配色の色数を含む前記色情報を計測する色情報計測部と、
前記修正の指示に関するデータを反映させて、前記商品画像に基づいて前記色情報計測部による前記色情報の計測を再度行わせる再計測制御部と、
前記色情報計測部により計測された前記色情報に関するデータを前記ネットワークを介して前記クライアント端末へ送信するサーバ装置送信部と、
を備える色情報取得サーバ装置。
【請求項１２】
商品を撮影して得た商品画像を取得する画像取得ステップと、
前記取得した商品画像に基づいて少なくとも前記商品の配色の色数を含む色情報の計測を行う色情報計測ステップと、
前記商品画像及び前記計測した色情報を表示部に表示させる表示ステップと、
前記色情報の修正の指示を受け付ける修正指示受付ステップと、
前記修正指示受付ステップにより受け付けられた前記修正の指示を反映させて、前記商品画像に基づいて前記色情報計測ステップによる前記色情報の計測を再度行わせる再計測ステップと、
を含む色情報取得方法。
【発明の詳細な説明】
【技術分野】
【０００１】
本発明は、色情報取得装置、色情報取得システム、色情報取得サーバ装置、及び色情報取得方法に関し、特に商品画像の色情報を取得する為の技術に関する。
【背景技術】
【０００２】
近年、インターネットが普及し、消費者は、ＥＣ(Electronic Commerce)サイトに掲載される商品の画像（商品画像）により、商品を選び購入すること多くなってきた。ＥＣサイトの運営者は、所望の商品を簡単に消費者が検索することができるように、商品の色や柄などの情報を商品画像に付して整理する。従来では、人の作業により、商品の色や柄などの認識及び色や柄に関する情報の商品画像への付与が行われていた。
【０００３】
また、近年、画像をコンピュータにより解析して、画像の色等の特徴を自動で抽出する技術が考えられている。
【０００４】
例えば、特許文献１には、カラー画像の色を判別する技術が記載されている。特許文献１に記載された技術は、使用者が指定した色情報をカラー画像に対して行う統計処理に利用し、カラー画像の色情報の判別を行う。
【０００５】
また、特許文献２には、様々の形状に表示される画像から代表色を選択する技術が記載されており、最も支配的な色、最頻色、又は中央値の色が代表色として選択されることが記載されている。
【０００６】
また、特許文献３には、人間の色彩感覚に応じた画像の代表色を選択する技術が記載されている。特許文献３に記載の技術は、人間の色彩感覚に応じた色の注目度を表すスコアを利用して、画像の代表色を抽出する。
【先行技術文献】
【特許文献】
【０００７】
【特許文献１】特開平４-１８８３７７号公報
【特許文献２】特開２００２-２４５４５６号公報
【特許文献３】特開２００８-２３４１２４号公報
【発明の概要】
【発明が解決しようとする課題】
【０００８】
しかしながら、上述したような人の作業による色や柄などの認識及び情報の付与は、作業に時間を要し、大量の商品画像を処理する際には膨大な時間を必要とする。さらに、作業を行う人により色や柄の認識に差が生じる可能性がある。
【０００９】
また、特許文献１から３に記載されているような、画像解析により画像の色等の情報を取得する方法は、画像が上手く解析されず誤った算出結果を得る場合もある。
【００１０】
本発明はこのような事情に鑑みてなされたもので、その目的は、商品画像の色情報を効率的に精度良く計測する色情報取得装置、色情報取得システム、色情報取得サーバ装置、及び色情報取得方法を提供することである。
【課題を解決するための手段】
【００１１】
本発明の一の態様である色情報取得装置は、商品を撮影して得た商品画像を取得する画像取得部と、取得した商品画像に基づいて少なくとも商品の配色の色数を含む色情報の計測を行う色情報計測部と、表示部と、商品画像及び計測した色情報を表示部に表示させる表示制御部と、色情報の修正の指示を受け付ける修正指示受付部と、修正指示受付部により受け付けられた修正の指示を反映させて、商品画像に基づいて色情報計測部による色情報の計測を再度行わせる再計測制御部と、を備える。
【００１２】
本態様は、色情報の修正の指示を反映させて色情報の計測を再度行うので、商品画像の色情報を精度良く計測することができる。すなわち、色情報計測部が色情報計測を誤った場合であっても、色情報計測部は修正指示を基に色情報計測を再度行うので、本態様はより精度の良い色情報を取得することができる。また、本態様は商品画像の色情報と商品画像とを表示部に表示するので、ユーザは色情報の正誤を効率的に精度良く判断することができる。すなわち、本態様は商品画像の計測された色情報と商品画像とを表示部に表示するので、ユーザは、容易に商品画像の色情報の計測結果と商品画像とを比較することができ、計測された色情報の正誤を効率的に精度良く判断することができる。
【００１３】
望ましくは、色情報計測部は、商品の配色を構成する色を計測し、表示制御部が表示部に表示させる色情報は、計測した配色を構成する色のみからなる商品画像を再現した再現画像、及び配色の色数を示す文字情報である。
【００１４】
本態様は、再現画像、及び配色の色数を示す文字情報を表示部に表示するので、より効率的に精度良く色情報の計測結果の正誤を判断することができる。すなわち、本態様は商品画像、再現画像、及び配色の色数を示す文字情報を表示部に表示するので、ユーザが表示部に表示された画像及び情報を比較することにより、効率的に精度良く計測された色情報の正誤を判断できるように表示することができる。
【００１５】
望ましくは、色情報の修正の指示は、再現画像において修正箇所の指示である。
【００１６】
本態様は、再現画像における修正箇所を指示することにより修正の指示が行われるので、より効率的に商品画像の色情報を取得することができる。すなわち、本態様は、再現画像における修正箇所を指示することにより修正指示を受け付けるので、ユーザが修正の指示をより簡単に行うことができ、より効率的に色情報を取得することができる。
【００１７】
望ましくは、表示制御部が表示部に表示させる色情報は、計測した配色を構成する色を示す文字情報又は計測した配色を構成する色を示すカラーパレットである。
【００１８】
本態様は、配色を構成する色を示す文字情報又は配色を構成する色を示すカラーパレットを表示部に表示するので、より効率的に精度良く商品画像の色情報を取得することができる。すなわち、本態様は、配色を構成する色を示す文字情報又は配色を構成する色を示すカラーパレットを表示部に表示するので、ユーザは、配色を構成する色を考慮して修正の指示を行うことができ、より効率的に精度良く色情報を取得することができる。
【００１９】
望ましくは、色情報計測部は、商品の配色を構成する色を計測し、表示制御部が表示部に表示させる色情報は、計測した配色を構成する色を示す文字情報又は計測した配色を構成する色を示すカラーパレットである。
【００２０】
本態様は、色情報計測部において商品の配色を構成する色を計測して、配色を構成する色を示す文字情報又は配色を構成する色を示すカラーパレットを表示部に表示するので、より効率的に精度良く商品画像の色情報を取得することができる。すなわち、本態様は、配色を構成する色を示す文字情報又は配色を構成する色を示すカラーパレットを表示部に表示するので、ユーザは、配色を構成する色を考慮して修正の指示を行うことができ、より効率的に精度良く色情報を取得することができる。
【００２１】
望ましくは、色情報の修正の指示は、色数の増減の指示である。
【００２２】
本態様は、修正の指示が色数の増減の指示であるので、ユーザは、簡単に修正の指示を行うことができる。
【００２３】
望ましくは、表示制御部は、さらに、修正指示受付部により受け付けられた修正の指示内容を表示する修正指示内容表示を表示部に表示させる。
【００２４】
本態様は、修正指示受付部が受け付けた修正の指示の内容を表示部に表示するので、ユーザは修正を行った内容を確認することができ、より効率的に修正の指示を行うことができる。
【００２５】
望ましくは、修正指示受付部は、さらに、色情報の正誤を受け付ける。
【００２６】
本態様は、色情報の正誤を受け付けるので、ユーザの色情報の正誤判定により色情報の取得を進めることができる。
【００２７】
望ましくは、色情報計測部は、複数の商品画像に対して色情報の計測を順次行う場合には、表示制御部が表示部に商品画像及び色情報を表示している間に、未だ色情報の計測が行われていない商品画像に対して色情報の計測を行う。
【００２８】
本態様は、表示部に色情報の計測が行われた商品画像の表示を行っている間に、未だ色情報が計測されていない商品画像の計測を行うので、より効率的に色情報の取得を行うことができる。
【００２９】
本発明の他の態様である色情報取得システムは、クライアント端末において商品を撮影して得た商品画像が取得され、クライアント端末にネットワークを介して接続されるサーバ装置において商品画像の色情報が計測され、クライアント端末において色情報を表示する色情報取得システムであって、クライアント端末は、表示部と商品画像を取得する画像取得部と、商品画像及び商品画像の色情報を表示部に表示させる表示制御部と、色情報の修正の指示を受け付ける修正指示受付部と、修正の指示に関するデータ及び商品画像の画像データをネットワークを介してサーバ装置へ送信するクライアント端末送信部と、サーバ装置のサーバ装置送信部から送信される商品画像の色情報に関するデータを受信するクライアント端末受信部と、を備え、サーバ装置は、クライアント端末送信部から送信された修正の指示に関するデータ及び商品画像の画像データを受信するサーバ装置受信部と、商品画像の画像データに基づいて少なくとも商品の配色の色数を含む色情報を計測する色情報計測部と、修正の指示に関するデータを反映させて、再度画像データに基づいて色情報計測部による色情報の計測を再度行わせる再計測制御部と、色情報計測部により計測された色情報に関するデータをネットワークを介してクライアント端末へ送信するサーバ装置送信部と、を備える。
【００３０】
本発明の他の態様である色情報取得サーバ装置は、商品を撮影して得た商品画像を取得するクライアント端末にネットワークを介して接続され、クライアント端末から商品画像の画像データ及び商品画像の色情報に対する修正の指示に関するデータを受信し、商品画像の色情報を計測する色情報取得サーバ装置であって、クライアント端末から送信された修正の指示に関するデータ及び商品画像の画像データを受信するサーバ装置受信部と、商品画像の画像データに基づいて少なくとも商品の配色の色数を含む色情報を計測する色情報計測部と、修正の指示に関するデータを反映させて、商品画像に基づいて色情報計測部による色情報の計測を再度行わせる再計測制御部と、色情報計測部により計測された色情報に関するデータをネットワークを介してクライアント端末へ送信するサーバ装置送信部と、を備える。
【００３１】
本発明の他の態様である色情報取得方法は、商品を撮影して得た商品画像を取得する画像取得ステップと、取得した商品画像に基づいて少なくとも商品の配色の色数を含む色情報の計測を行う色情報計測ステップと、商品画像及び計測した色情報を表示部に表示させる表示ステップと、色情報の修正の指示を受け付ける修正指示受付ステップと、修正指示受付ステップにより受け付けられた修正の指示を反映させて、商品画像に基づいて色情報計測ステップによる色情報の計測を再度行わせる再計測ステップと、を含む。
【発明の効果】
【００３２】
本発明によれば、色情報の修正の指示を反映させて色情報の計測を再度行うことにより、商品画像の色情報を精度良く計測することができる。また、本発明は商品画像の色情報と商品画像とを表示部に表示するので、ユーザは色情報の正誤を効率的に精度良く判断することができる。
【図面の簡単な説明】
【００３３】
【図１】色情報取得装置の外観を示す概念図である。
【図２】商品画像及び商品画像に付される付加情報を示す概念図である。
【図３】色情報取得装置の機能ブロック図である。
【図４】表示部に表示される表示形態を示す図である。
【図５】色情報計測装置の動作フロー図である。
【図６】色情報取得装置の機能ブロック図である。
【図７】表示部に表示される表示形態を示す図である。
【図８】表示部に表示される表示形態を示す図である。
【図９】色情報取得装置の機能ブロック図である。
【図１０】表示部に表示される表示形態を示す図である。
【図１１】色情報計測部の計測及び表示部に表示される色情報に関して示す図である。
【図１２】色情報取得システムを示す概念図である。
【図１３】色情報取得システムの機能ブロック図である。
【図１４】携帯端末の外観を示す図である。
【図１５】図１４に示す携帯端末の構成を示すブロック図である。
【発明を実施するための形態】
【００３４】
以下、添付図面に従って、実施の形態について説明する。
【００３５】
以下に、図１及び図２に沿って、本発明の色情報取得装置１を使用して、商品５の色情報を付加情報２２として商品画像１８に付す作業に関して説明する。図１は、本発明の色情報取得装置１の外観を示す概念図である。また、図２は、商品画像１８及び商品画像１８に付される付加情報２２を示す概念図である。
【００３６】
図１に示すように、商品５の色情報を取得する場合には、商品５は、撮像装置１０により撮影される。商品５の撮影画像は、商品画像１８（図２）として、色情報取得装置１に取り込まれる。ここで撮像装置１０は、例えば、一般に使用されるデジタルカメラが使用される。
【００３７】
色情報取得装置１は、商品画像１８を画像取得部２４（図３）で取得し、商品５の色情報の計測を色情報計測部２６（図３）で行う。なお、図１では、画像取得部２４及び色情報計測部２６は、コンピュータ本体１６に設置されている。
【００３８】
色情報計測部２６で計測された色情報は、表示部１２に表示される。そして、商品画像１８に付加情報２２を付す作業に従事する者（以下、ユーザと呼ぶ）は、表示部１２に表示された色情報を確認する。
【００３９】
ユーザは、表示部１２に表示された色情報が誤っていると判断した場合には、修正指示受付部１４で修正指示を行う。色情報取得装置１は、修正指示受付部１４により受け付けられた修正指示に基づいて、再度色情報の計測を行う。
【００４０】
図２に示すように、色情報は、商品画像１８に付加情報２２として付される。そして、商品画像１８に色情報の付加情報２２が付されることにより、商品画像１８は、色情報（付加情報２２）に基づいて整理される。これにより、販売者は消費者が求める商品５の商品画像１８を的確に提供することができ、消費者は求める商品５の商品画像１８を的確に検索することができる。図２においては、商品５として衣類を例示しているが、特に商品５は限定されるものでなく、商品として扱われるもの全てを含む。例えば、商品５は、装飾品、靴、バック、ジュエリー、車等である。なお、部分画像２０に関しては、後述する。
【００４１】
＜第１の実施形態＞
以下、色情報取得装置１の第１の実施形態に関して説明する。
【００４２】
図３は、色情報取得装置１の機能ブロック図である。色情報取得装置１は、画像取得部２４、色情報計測部２６、色情報表示生成部３１、表示制御部２８、表示部１２、修正指示受付部１４、及び再計測制御部３０を備える。
【００４３】
画像取得部２４は、商品画像１８を取得する。画像取得部２４は、撮像装置１０が取得した商品画像１８をＳＤカードのような記録メディアを介して取得しても良いし、また、図１に示すように、画像取得部２４は、撮像装置１０に接続され、撮像装置１０から直に商品画像１８を取得してもよい。
【００４４】
色情報計測部２６は、商品画像１８における商品５の色情報を計測する。商品画像１８の色情報の計測は、公知の方法を使用して行われる。例えば、商品画像１８の画素毎のＲＧＢ値を分析することにより、商品画像１８の色情報を計測する。色情報とは、商品画像１８における商品５の色特徴を示す情報である。色情報には、消費者にとって商品５を選ぶ際に重要な指標となる商品５の配色の色数が含まれる。さらに、色情報には、商品５の配色を構成する色の種類名又は柄等が含まれる。例えば、色情報計測部２６の機能は、コンピュータ本体１６においてＣＰＵ（中央処理部）に持たせる。色情報計測部２６は、計測結果を色情報表示生成部３１に送る。
【００４５】
色情報表示生成部３１は、色情報計測部２６から送られてきた計測結果に基づいて、表示部１２に表示する色情報に関する表示画像を生成する。色情報表示生成部３１は、計測された色情報を効果的に表示する様々な表示画像を生成することができる。例えば、色情報表示生成部３１は、計測結果に基づいて、商品５の配色を構成する色数を示す文字情報３２（図４）の表示画像を生成する。色情報表示生成部３１は、生成した色情報に関する表示画像を表示制御部２８に送る。
【００４６】
図４は、表示部１２に表示される表示形態を示す図である。表示部１２は、表示制御部２８により、表示が制御される。表示制御部２８の機能は、例えば、コンピュータ本体１６においてグラフィックコントローラに持たせる。
【００４７】
図４に示すように、表示部１２は、部分画像２０、及び商品５の配色の色数を示す文字情報３２（以後、「色数を示す文字情報３２」と記載する）を有する。表示制御部２８が色数を示す文字情報３２を部分画像２０と並べて表示させることで、ユーザは色数を示す文字情報３２の正誤を効率的に精度良く判断することができる。すなわち、ユーザは、「色数５」で配色が構成されている部分画像２０と、計測により求められた「色数３」とを比較することができので、表示された色情報の正誤を効率的に精度良く判断することができる。図４に示すように部分画像２０の配色は５色で構成され、計測された色情報は３とされた場合では、ユーザは、色数を示す文字情報３２の「３」は誤りであるので、「５」と修正する。なお、表示部１２に表示される部分画像２０（図２及び図４を参照）は、商品画像１８において商品５の色特徴（色や柄）が表されている箇所の切り抜き画像のことである。表示制御部２８は商品画像１８を表示部１２に表示させても良いが、表示部１２が小さい場合には、表示制御部２８は部分画像２０を表示部１２に表示させる。また、商品５の色特徴が細かくて商品画像１８からでは良く観察することができない場合には、表示制御部２８は、拡大した商品画像１８の部分画像２０を表示しても良い。
【００４８】
図３に戻って、表示部１２に行われる表示は、表示制御部２８に制御される。表示部１２は、一般に使用されるディスプレイを用いることができる。また、表示部１２には、修正指示受付部１４としてタッチパネルが設置されていても良い。
【００４９】
修正指示受付部１４は、表示された色情報に関するユーザからの修正の指示を受け付ける。ユーザは、表示部１２に表示されている色情報の正誤を判断して、色情報が誤っていると判断した場合には、修正指示受付部１４で色情報に関する修正の指示を行う。修正指示受付部１４は、特に限定されるものではなく、様々な入力手段を採用することができる。例えば、キーボード、マウス、又はタッチパネルが、修正指示受付部１４として採用される。修正指示受付部１４で受け付けられた修正の指示は、再計測制御部３０へと送られる。
【００５０】
再計測制御部３０は、色情報に関する修正の指示を反映させて、商品画像１８の色情報の計測を色情報計測部２６に再度行わせる。すなわち、再計測制御部３０は、修正指示受付部１４から送られてくる色情報の修正の指示を取得し、修正の指示を反映させた色情報の計測を色情報計測部２６に行わせる。再計測制御部３０は、様々の方法で、修正の指示を反映させて色情報の計測を色情報計測部２６に行わせることができる。例えば、再計測制御部３０は、一回目の色情報の計測に使用したプログラムと異なるプログラムを使用させて、色情報計測部２６に色情報の計測を再度行わせることができる。
【００５１】
また、例えば、再計測制御部３０は、二回目の色情報の計測を行う際には、修正の指示で取得した「配色を構成する色数」を初期値として設定して、色情報計測部２６に色情報の計測を再度行わせることができる。図４で説明した例を用いて具体的に説明する。図４の例では、表示部１２に表示された部分画像２０の配色は５色で構成されている。一方、一回目に計測結果によると、配色を構成する色数は「３」である（図４の色数を示す文字情報３２）。したがって、ユーザは、一回目の計測結果は誤っていると判断し、「配色は５色で構成されている」という意味の修正の指示を修正指示受付部１４により出す。修正指示受付部１４は、「配色は５色で構成されている」という修正の指示を受け付けて、再計測制御部３０に修正の指示を送る。再計測制御部３０は、修正指示受付部１４からの修正の指示を受け取り、色情報の計測を再度行わせる。この際、「配色は５色で構成されている」という修正の指示を計測に反映させて行う。具体的には、色情報の計測に使用するプログラムにおいて、予め配色は５色で構成されていると設定してプログラムを実行させる。なお、再計測制御部３０が色情報計測部２６に行わせる再計測は、修正指示受付部１４が修正の指示を受け付ける度に何度でも行うことができる。
【００５２】
図５は、色情報取得装置１の動作フロー図である。
【００５３】
先ず、色情報取得装置１は、画像取得部２４により商品画像１８を取得する（ステップＳ１：画像取得ステップ）。そして、色情報取得装置１は、色情報計測部２６により商品画像１８の色情報を計測する（ステップＳ２：色情報計測ステップ）。次に、色情報取得装置１は、表示制御部２８の制御により表示部１２に商品画像１８と計測した色情報とを表示させる（ステップＳ３：表示ステップ）。その後、色情報取得装置１は、修正指示受付部１４によりユーザからの修正の指示を受け付ける（修正指示受付ステップ）。そして、修正の指示が受け付けられた場合（ステップＳ４のＹｅｓの場合）、色情報取得装置１は、再び色情報計測部２６により商品画像１８の色情報を計測する（ステップＳ５：再計測ステップ）。一方、修正の指示が受け付けられない場合（ステップＳ４のＮｏの場合）には、色情報取得装置１は、商品画像１８の正確な色情報の取得が完了する。
【００５４】
以上の説明のように、色情報取得装置１の第１の実施形態では、色情報計測部２６が色情報計測を誤った場合であっても、色情報計測部２６が修正指示を基に色情報計測を再度行うので、精度の良い色情報を取得することができる。また、色情報取得装置１の第１の実施形態では、計測された色情報と商品画像１８とを表示部１２に表示するので、ユーザは、計測された色情報と商品画像１８とを比較することができ、計測された色情報の正誤を効率的に精度良く判断することができる。
【００５５】
＜第２の実施形態＞
以下に色情報取得装置１の第２の実施形態に関して説明する。
【００５６】
図６は、第２の実施形態における色情報取得装置１の機能ブロック図を示す。なお、図３の説明において既に説明したブロックの説明は、ブロックに同じ符号を付すことにより省略する。
【００５７】
第２の実施形態における色情報取得装置１は、画像取得部２４、色情報計測部２６、色情報表示生成部３１、表示制御部２８、表示部１２、修正指示受付部１４、再計測制御部３０、及び再現画像生成部３３を備える。
【００５８】
色情報計測部２６は、画像取得部２４から取得した商品画像１８を計測して、商品５の配色を構成する色（色の種類）を求める。商品画像１８における商品５の配色を構成する色の計測は、公知の方法を使用することができる。例えば、色情報計測部２６は、商品画像１８のＲＧＢ値を解析することにより、商品５の配色を構成する色を計測する。その後、色情報計測部２６は、再現画像生成部３３に、配色を構成する色の計測結果を送る。
【００５９】
再現画像生成部３３は、色情報計測部２６から送られてきた、商品５の配色を構成する色（色の種類）の計測結果を取得する。そして、再現画像生成部３３は、配色を構成する色の計測結果を基に、再現画像３４を生成する。その後、再現画像生成部３３は、生成した再現画像３４を表示制御部２８に送る。なお、再現画像生成部３３は、公知の方法を使用して、商品５の配色を構成する色に基づいて再現画像３４を生成することができる。
【００６０】
図７及び図８は、第２の実施形態における表示部１２に表示される表示形態を示す図である。表示制御部２８は、商品画像１８の色情報として、再現画像生成部３３から取得した再現画像３４を表示部１２に表示させる。なお、図４と同じ表示の説明は、同じ符号を付すことにより省略する。
【００６１】
図７及び図８に示すように、表示制御部２８は、部分画像２０、再現画像３４、色数を示す文字情報３２、終了ボタン３６、及び再計測ボタン３８を表示部１２に表示させる。
【００６２】
図７に示すように、再現画像３４は、部分画像２０と並べて表示されることが好ましい。これにより、ユーザは、再現画像３４と部分画像２０とを効率的に比較することができる。そして、ユーザは、部分画像２０、再現画像３４、及び色数を示す文字情報３２から、色情報計測部２６の計測結果の正誤を判断する。
【００６３】
ユーザは、計測された色情報が誤っていると判断した場合には、色数を示す文字情報３２を修正することにより、修正の指示を出すことができる。すなわち、ユーザは、色数を示す文字情報３２に色数を増やすように入力する又は色数を減らすように入力することで、修正の指示を行う。この場合、修正の指示は、表示された色情報の正誤だけでなく色数の増減の指示であるので、ユーザはより簡単に修正の指示を行え、色情報計測部２６の再計測はより正確なものとなる。なお、表示制御部２８は、修正指示受付部１４により受け付けられた修正の指示内容を表示部１２に表示させてもよい。具体的には、ユーザが色数を示す文字情報３２を修正する場合には、その修正された数字（修正指示内容）を色数を示す文字情報３２に上書きするように表示させてもよい。
【００６４】
終了ボタン３６及び再計測ボタン３８は、色情報の正誤を受け付ける修正指示受付部１４として機能する。ユーザが再現画像３４及び色数を示す文字情報３２と部分画像２０とが合致していないと判断した場合には、ユーザが再計測ボタン３８を押すことで再計測制御部３０が色情報計測部２６に色情報の再計測を行わせる。一方、ユーザが再現画像３４及び色数を示す文字情報３２が部分画像２０と合致していると判断した場合には、ユーザが終了ボタン３６を押すことで商品画像１８の色情報取得が終了する。このように、修正指示受付部１４が色情報の正誤を受け付けることにより、ユーザは、色情報の正誤によって色情報の取得の作業を進めることができる。
【００６５】
図８に示すように、修正の指示は、再現画像３４の誤っている箇所（修正箇所）を指示することで行われてもよい。すなわち、修正の指示は、タッチペン４０で再現画像３４における部分画像２０と異なる部分のポインティングでもよい。具体的に、図８を使用して説明する。再現画像３４の符号４２の箇所では、部分画像２０の計測が誤っている。すなわち、部分画像２０では、符号４２の箇所は２色で構成されているのに対して、再現画像３４では、符号４２の箇所は１色で構成されている。したがって、ユーザは再現画像３４の符号４２の部分は誤りであると判断し、再現画像３４の符号４２の箇所をタッチペン４０でポインティングする。修正指示を修正箇所を指示することで行うことにより、ユーザが修正の指示を簡単に行うことができる。
【００６６】
以上の説明のように、色情報取得装置１の第２の実施形態では、商品画像１８の部分画像２０、再現画像３４、及び色数を示す文字情報３２を表示部１２に表示するので、ユーザは、商品画像１８の部分画像２０、再現画像３４、及び色数を示す文字情報３２を効率的に比較することができ、計測された色情報の正誤を効率的に精度良く判断することができる。
【００６７】
＜第３の実施形態＞
以下に色情報取得装置１の第３の実施形態に関して説明する。
【００６８】
図９は、第３の実施形態における色情報取得装置１の機能ブロック図を示す。なお、図３の説明において既に説明したブロックの説明は、ブロックに同じ符号を付すことにより省略する。
【００６９】
第３の実施形態における色情報取得装置１は、画像取得部２４、色情報計測部２６、色情報表示生成部３１、表示制御部２８、表示部１２、修正指示受付部１４、再計測制御部３０、及び色表示生成部４４を備える。
【００７０】
色表示生成部４４は、色情報計測部２６から送られてきた色情報の計測結果に基づいて、計測した配色を構成する色を示す文字情報４７（図１０）又は計測した配色を構成する色を示すカラーパレット４６（図１０）を生成する。具体的には、色表示生成部４４は、商品５の配色が「ホワイト」、「レッド」、「オレンジ」、「イエロー」、「ピンク」で構成されているという計測結果を受けた場合には、色表示生成部４４は、計測された色を示す文字情報４７又はカラーパレット４６を生成する。
【００７１】
図１０は、第３の実施形態における表示部１２に表示される表示形態を示す図である。表示制御部２８は、色表示生成部４４により生成された色を示す文字情報４７及びカラーパレット４６を表示部１２に表示させる。なお、図４と同じ表示の説明は、同じ符号を付すことにより省略する。
【００７２】
図１０に示すように、第３の実施形態における表示部１２には、配色を構成する色を示す文字情報４７及び配色を構成する色のカラーパレット４６を表示する。なお、表示部１２には、色を示す文字情報４７及びカラーパレット４６のいずれか一つを表示させてもよい。
【００７３】
以上の説明のように、色情報取得装置１の第３の実施形態では、部分画像２０、色数を示す文字情報３２、色を示す文字情報４７、及びカラーパレット４６が表示部１２に表示されるので、ユーザは、部分画像２０と計測された色情報（色数を示す文字情報３２、色を示す文字情報４７、及びカラーパレット４６）との比較を行うことができ、計測された色情報の正誤を効率的に精度良く判断することができる。
【００７４】
＜第４の実施形態＞
以下に色情報取得装置１の第４の実施形態に関して説明する。
【００７５】
色情報取得装置１の第４の実施形態は、第１〜３の実施形態の色情報取得装置１により複数の商品画像１８の色情報を取得する場合に有効な実施形態である。色情報取得装置１の第４の実施形態では、表示制御部２８が表示部１２に色情報を表示している間に、色情報計測部２６は、未だ色情報の計測が行われていない商品画像１８に対して色情報の計測を行う。
【００７６】
図１１は、色情報計測部２６の計測及び表示部１２に表示される色情報に関して示した図である。
【００７７】
図１１に示すように、色情報計測部２６は、先ず商品画像Ａに関して色情報の計測を行い（符号４６）、その後商品画像Ｂに関して色情報の計測を行う（符号４８）。色情報計測部２６が商品画像Ｂに関して色情報の計測を行っている間（符号４８）、表示部１２には、商品画像Ａに関する色情報が表示される（符号５４）。
【００７８】
ユーザが商品画像Ａに関する色情報が誤っていると判断し、修正指示受付部１４により修正の指示を行った場合には、色情報計測部２６は、再度、商品画像Ａの再計算を行う（符号５０）。その後、表示制御部２８が表示部１２に商品画像Ｂの色情報を表示している（符号５６）間に、色情報計測部２６は、商品画像Ｃに関して色情報の計測を行う（符号５２）。
【００７９】
以上の説明のように、色情報取得装置１の第４の実施形態では、表示制御部２８が表示部１２に色情報の表示をしている時に、色情報計測部２６は、他の画像に関しての色情報の計測を行う。これにより、色情報取得装置１の第４の実施形態は、複数の商品画像１８の色情報を効率的に取得することができる。
【００８０】
＜システムの態様＞
以上の説明では、コンピュータに備えられた色情報取得装置１及び色情報取得方法に関して説明をしてきたが、本発明の目的が達成される範囲で他の態様により本発明を実現してもよい。
【００８１】
図１２は、色情報取得システム２を概念的に示した図である。
【００８２】
色情報取得システム２は、インターネット等のネットワーク６０を介してクライアント端末３及びサーバ装置４で構成されている。色情報取得システム２は、複数のクライアント端末３を有することもできる。
【００８３】
図１３は、色情報取得システム２の機能ブロック図を示す。なお、図３の説明において既に説明したブロックの説明は、ブロックに同じ符号を付すことにより省略する。
【００８４】
クライアント端末３は、画像取得部２４、表示制御部２８、表示部１２、修正指示受付部１４、色情報表示生成部３１、クライアント端末送信部（図示せず）、及びクライアント端末受信部（図示せず）を備える。クライアント端末３では、画像取得部２４が商品画像１８を取得し、表示制御部２８が表示部１２にサーバ装置４内で計測された色情報を表示する。ユーザは、クライアント端末３の表示部１２に表示されている色情報の正誤判断をし、色情報が誤っている場合には、修正の指示を修正指示受付部１４により行う。
【００８５】
クライアント端末送信部は、修正の指示に関するデータ及び商品画像１８の画像データをネットワーク６０を介してサーバ装置４へ送信する。クライアント端末受信部は、サーバ装置４のサーバ装置送信部（図示せず）から送信される商品画像１８の色情報に関するデータを受信する。なお、一つの手段がクライアント端末送信部の機能とクライアント端末受信部の機能を有してもよい。
【００８６】
サーバ装置４は、色情報計測部２６、再計測制御部３０、サーバ装置受信部（図示せず）、及びサーバ装置送信部（図示せず）を備える。サーバ装置４の色情報計測部２６は、クライアント端末送信部から送られてくる商品画像１８の色情報を計測する。また、サーバ装置４の再計測制御部３０は、クライアント端末送信部から送られてくる修正の指示に基づいて、色情報計測部２６に色情報の再計測を行わせる。
【００８７】
サーバ装置受信部は、クライアント端末送信部から送信された修正の指示に関するデータ及び商品画像１８の画像データを受信する。サーバ装置送信部は、色情報計測部２６により計測された色情報に関するデータをネットワーク６０を介してクライアント端末３へ送信する。なお、一つの手段がサーバ装置受信部とサーバ装置送信部の機能を有していても良い。
【００８８】
以上の説明のように、色情報取得システム２は、ユーザ（作業者）が使用するクライアント端末３と色情の計測を行うサーバ装置４が別の場所に設置されていてもよく、より効率的な商品画像１８の色情報の取得を行うことができる。
【００８９】
＜携帯端末＞
本発明は、携帯電話機やスマートフォン１０１、ＰＤＡ（Ｐｅｒｓｏｎａｌ  Ｄｉｇｉｔａｌ  Ａｓｓｉｓｔａｎｔｓ）においても達成される。以下、本発明を適用可能なスマートフォン１０１（携帯端末を含む）の一例について説明する。
【００９０】
図１４は、スマートフォン１０１の外観を示す図である。図１４に示すスマートフォン１０１は、平板状の筐体１０２を有し、筐体１０２の一方の面に表示部としての表示パネル１２１と、入力部としての操作パネル１２２とが一体となった表示入力部１２０を備える。また、筐体１０２は、スピーカ１３１と、マイクロホン１３２、操作部１４０と、カメラ部１４１とを備える。なお、筐体１０２の構成はこれに限定されず、例えば、表示部と入力部とが独立した構成が採用されてもよいし、折り畳み構造やスライド機構を有する構成が採用されてもよい。
【００９１】
図１５は、図１４に示すスマートフォン１０１の構成を示すブロック図である。図１５に示すように、スマートフォン１０１の主たる構成要素として、無線通信部１１０と、表示入力部１２０と、通話部１３０と、操作部１４０と、カメラ部１４１と、記憶部１５０と、外部入出力部１６０と、ＧＰＳ（Ｇｌｏｂａｌ  Ｐｏｓｉｔｉｏｎｉｎｇ  Ｓｙｓｔｅｍ）受信部１７０と、モーションセンサ部１８０と、電源部１９０と、主制御部１００とを備える。また、スマートフォン１０１の主たる機能として、基地局装置ＢＳと移動通信網ＮＷとを介した移動無線通信を行う無線通信機能を備える。
【００９２】
無線通信部１１０は、主制御部１００の指示に従って、移動通信網ＮＷに収容された基地局装置ＢＳに対し無線通信を行うものである。係る無線通信を使用して、音声データ、画像データ等の各種ファイルデータ、電子メールデータなどの送受信や、Ｗｅｂデータやストリーミングデータなどの受信を行う。
【００９３】
表示入力部１２０は、主制御部１００の制御により、画像（静止画像及び動画像）や文字情報などを表示して視覚的にユーザに情報を伝達し、表示した情報に対するユーザ操作を検出する、いわゆるタッチパネルであって、表示パネル１２１と、操作パネル１２２とを備える。
【００９４】
表示パネル１２１は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。操作パネル１２２は、表示パネル１２１の表示面上に表示される画像を視認可能に載置され、ユーザの指や尖筆によって操作される座標を検出するデバイスである。デバイスをユーザの指や尖筆によって操作すると、操作に起因して発生する検出信号を主制御部１００に出力する。次いで、主制御部１００は、受信した検出信号に基づいて、表示パネル１２１上の操作位置（座標）を検出する。
【００９５】
図１４に示すように、撮像装置１０の一実施形態として例示しているスマートフォン１０１の表示パネル１２１と操作パネル１２２とは一体となって表示入力部１２０を構成しているが、操作パネル１２２が表示パネル１２１を完全に覆うような配置となっている。係る配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【００９６】
なお、表示領域の大きさと表示パネル１２１の大きさとを完全に一致させてもよいが、両者を必ずしも一致させる必要はない。また、操作パネル１２２が、外縁部分と、それ以外の内側部分の２つの感応領域を備えていてもよい。さらに、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００９７】
通話部１３０は、スピーカ１３１やマイクロホン１３２を備え、マイクロホン１３２を通じて入力されたユーザの音声を主制御部１００にて処理可能な音声データに変換して主制御部１００に出力し、無線通信部１１０或いは外部入出力部１６０により受信された音声データを復号してスピーカ１３１から出力するものである。また、図１４に示すように、例えば、スピーカ１３１を表示入力部１２０が設けられた面と同じ面に搭載し、マイクロホン１３２を筐体１０２の側面に搭載することができる。
【００９８】
操作部１４０は、キースイッチなどを用いたハードウェアキーであって、ユーザからの指示を受け付けるものである。例えば、図１４に示すように、操作部１４０は、スマートフォン１０１の筐体１０２の側面に搭載され、指などで押下されるとオンとなり、指を離すとバネなどの復元力によってオフ状態となる押しボタン式のスイッチである。
【００９９】
記憶部１５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。なお、記憶部１５０を構成するそれぞれの内部記憶部１５１と外部記憶部１５２は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【０１００】
外部入出力部１６０は、スマートフォン１０１に連結されるすべての外部機器とのインタフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【０１０１】
スマートフォン１０１に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン１０１、有／無線接続されるパーソナルコンピュータ、有／無線接続されるＰＤＡ、有／無線接続されるパーソナルコンピュータ、イヤホンなどがある。外部入出力部は、このような外部機器から伝送を受けたデータをスマートフォン１０１の内部の各構成要素に伝達することや、スマートフォン１０１の内部のデータが外部機器に伝送されるようにしてもよい。
【０１０２】
ＧＰＳ受信部１７０は、主制御部１００の指示に従って、ＧＰＳ衛星ＳＴ１〜ＳＴｎから送信されるＧＰＳ信号を受信し、受信した複数のＧＰＳ信号に基づく測位演算処理を実行し、スマートフォン１０１の緯度、経度、高度からなる位置を検出する。ＧＰＳ受信部１７０は、無線通信部１１０や外部入出力部１６０（例えば、無線ＬＡＮ）から位置情報を取得できる場合には、その位置情報を用いて位置を検出することもできる。
【０１０３】
モーションセンサ部１８０は、例えば、３軸の加速度センサなどを備え、主制御部１００の指示に従って、スマートフォン１０１の物理的な動きを検出する。スマートフォン１０１の物理的な動きを検出することにより、スマートフォン１０１の動く方向や加速度が検出される。係る検出結果は、主制御部１００に出力されるものである。
【０１０４】
電源部１９０は、主制御部１００の指示に従って、スマートフォン１０１の各部に、バッテリ（図示しない）に蓄えられる電力を供給するものである。
【０１０５】
主制御部１００は、マイクロプロセッサを備え、記憶部１５０が記憶する制御プログラムや制御データに従って動作し、スマートフォン１０１の各部を統括して制御するものである。また、主制御部１００は、無線通信部１１０を通じて、音声通信やデータ通信を行うために、通信系の各部を制御する移動通信制御機能と、アプリケーション処理機能を備える。
【０１０６】
アプリケーション処理機能は、記憶部１５０が記憶するアプリケーションソフトウェアに従って主制御部１００が動作することにより実現するものである。アプリケーション処理機能としては、例えば、外部入出力部１６０を制御して対向機器とデータ通信を行う赤外線通信機能や、電子メールの送受信を行う電子メール機能、Ｗｅｂページを閲覧するＷｅｂブラウジング機能などがある。
【０１０７】
また、主制御部１００は、受信データやダウンロードしたストリーミングデータなどの画像データ（静止画像や動画像のデータ）に基づいて、映像を表示入力部１２０に表示する等の画像処理機能を備える。画像処理機能とは、主制御部１００が、上記画像データを復号し、係る復号結果に画像処理を施して、画像を表示入力部１２０に表示する機能のことをいう。
【０１０８】
さらに、主制御部１００は、表示パネル１２１に対する表示制御と、操作部１４０、操作パネル１２２を通じたユーザ操作を検出する操作検出制御を実行する。
【０１０９】
表示制御の実行により、主制御部１００は、アプリケーションソフトウェアを起動するためのアイコンや、スクロールバーなどのソフトウェアキーを表示し、或いは電子メールを作成するためのウィンドウを表示する。なお、スクロールバーとは、表示パネル１２１の表示領域に収まりきれない大きな画像などについて、画像の表示部分を移動する指示を受け付けるためのソフトウェアキーのことをいう。
【０１１０】
また、操作検出制御の実行により、主制御部１００は、操作部１４０を通じたユーザ操作を検出したり、操作パネル１２２を通じて、上記アイコンに対する操作や、上記ウィンドウの入力欄に対する文字列の入力を受け付けたり、或いは、スクロールバーを通じた表示画像のスクロール要求を受け付ける。
【０１１１】
さらに、操作検出制御の実行により主制御部１００は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【０１１２】
また、主制御部１００は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【０１１３】
カメラ部１４１は、ＣＭＯＳなどの撮像素子を用いて電子撮影するデジタルカメラである。また、カメラ部１４１は、主制御部１００の制御により、撮像によって得た画像データを例えばＪＰＥＧなどの圧縮した画像データに変換し、記憶部１５０に記録し、外部入出力部１６０や無線通信部１１０を通じて出力することができる。図１４に示すようにスマートフォン１０１において、カメラ部１４１は表示入力部１２０と同じ面に搭載されているが、カメラ部１４１の搭載位置はこれに限らず、表示入力部１２０の背面に搭載されてもよいし、或いは、複数のカメラ部１４１が搭載されてもよい。なお、複数のカメラ部１４１が搭載されている場合には、撮影に供するカメラ部１４１を切り換えて単独にて撮影してもよいし、或いは、複数のカメラ部１４１を同時に使用して撮影してもよい。
【０１１４】
また、カメラ部１４１はスマートフォン１０１の各種機能に利用することができる。例えば、表示パネル１２１にカメラ部１４１で取得した画像を表示することや、操作パネル１２２の操作入力の１つとして、カメラ部１４１の画像を利用することができる。また、ＧＰＳ受信部１７０が位置を検出する際に、カメラ部１４１からの画像を参照して位置を検出することもできる。さらには、カメラ部１４１からの画像を参照して、３軸の加速度センサを用いずに、或いは、３軸の加速度センサと併用して、スマートフォン１０１のカメラ部１４１の光軸方向を判断することや、現在の使用環境を判断することもできる。勿論、カメラ部１４１からの画像をアプリケーションソフトウェア内で利用することもできる。
【０１１５】
その他、静止画又は動画の画像データにＧＰＳ受信部１７０により取得した位置情報、マイクロホン１３２により取得した音声情報（主制御部等により、音声テキスト変換を行ってテキスト情報となっていてもよい）、モーションセンサ部１８０により取得した姿勢情報等などを付加して記憶部１５０に記録し、外部入出力部１６０や無線通信部１１０を通じて出力することもできる。
【０１１６】
以上で説明をしたように、商品画像１８の色情報は、スマートフォン１０１に設けられた色情報計測部２６により計測される。例えば、図３の表示部１２及び修正指示受付部１４は、図１５で示す表示パネル１２１と、入力部としての操作パネル１２２とが一体となった表示入力部１２０により実現可能である。また、図３の色情報計測部２６、表示制御部２８、色情報表示生成部３１、及び再計測制御部３０は、図１５の主制御部１００で実現可能であり、図３の画像取得部２４は図１５の外部入出力部１６０で実現可能である。
【０１１７】
以上で本発明について説明を行ってきたが、本発明は上述した実施の形態に限定されず、本発明の精神を逸脱しない範囲で種々の変形が可能であることは言うまでもない。
【符号の説明】
【０１１８】
１…色情報取得装置、２…色情報取得システム、３…クライアント端末、４…サーバ装置、５…商品、１０…撮像装置、１２…表示部、１４…修正指示受付部、１６…コンピュータ本体、１８…商品画像、２０…部分画像、２２…付加情報、２４…画像取得部、２６…色情報計測部、２８…表示制御部、３０…再計測制御部、３１…色情報表示生成部、３３…再現画像生成部、４４…色表示生成部、６０…ネットワーク、１００…主制御部、１０１…スマートフォン
【図１】
2015203896.tif 000003
【図２】
2015203896.tif 000004
【図３】
2015203896.tif 000005
【図５】
2015203896.tif 000006
【図６】
2015203896.tif 000007
【図９】
2015203896.tif 000008
【図１１】
2015203896.tif 000009
【図１２】
2015203896.tif 000010
【図１３】
2015203896.tif 000011
【図１４】
2015203896.tif 000012
【図１５】
2015203896.tif 000013
【図４】
2015203896.tif 000014
【図７】
2015203896.tif 000015
【図８】
2015203896.tif 000016
【図１０】
2015203896.tif 000017